(57)【要約】【課題】媒体に印刷された電子文書に関連付けて登録する登録情報を正確に入力できる可能性を高める。【解決手段】画像処理部７１ａでは、画像取得部７１１が、媒体から画像を取得し、ドット配列生成部７１２が、画像からドット配列を生成する。また、データ処理部７１ｂでは、符号配列生成部７１３が、ドット配列から符号配列を生成し、識別情報取得部７１４が、媒体内の領域を一意に識別する領域ＩＤを含む識別情報を符号配列から取得し、ＵＩ生成部７１７が、識別情報に含まれる領域ＩＤに基づきＵＩ情報記憶部７１６を検索して入力用ＵＩ画面を生成し、操作受付部７１８が、入力用ＵＩ画面からの入力情報を受け付け、出力部７１９が、識別情報と入力情報とをサーバに登録すべく出力する。【選択図】図６
2009277006.tif 000002
【特許請求の範囲】
【請求項１】
電子文書と、媒体内の領域を特定する領域情報とが印刷された当該媒体から読み取られた当該領域情報を取得する取得手段と、
前記取得手段により取得された前記領域情報によって特定される領域に印刷された前記電子文書の部分に関連付けて登録する登録情報の入力を支援するための支援画面を表示する表示手段と、
前記表示手段により表示された前記支援画面から入力された前記登録情報を前記電子文書の部分に関連付けて登録する処理を行う処理手段と
を備えたことを特徴とする情報処理装置。
【請求項２】
前記表示手段は、前記支援画面として、前記情報処理装置の操作部により前記登録情報を入力するための画面を表示することを特徴とする請求項１記載の情報処理装置。
【請求項３】
前記表示手段は、前記登録情報を入力する際の形式を示す入力形式情報を含む前記支援画面を表示することを特徴とする請求項２記載の情報処理装置。
【請求項４】
前記媒体に対する筆記を電子化した筆記情報を、当該筆記が行われた領域を特定する前記領域情報に関連付けて保持する電子筆記具から、前記取得手段により取得された当該領域情報に基づいて当該筆記情報を受信する受信手段を更に備え、
前記表示手段は、前記支援画面として、前記情報処理装置の操作部により前記筆記情報に編集処理を施すことで前記登録情報を入力するための画面を表示することを特徴とする請求項１記載の情報処理装置。
【請求項５】
前記編集処理は、特定の文字種の前記筆記情報の文字認識結果を他の文字種に変換する処理であることを特徴とする請求項４記載の情報処理装置。
【請求項６】
前記編集処理は、前記筆記情報を分割する処理であることを特徴とする請求項４記載の情報処理装置。
【請求項７】
電子文書の文書画像と、電子筆記具による筆記を電子化するための情報を少なくとも表す情報画像とが印刷された媒体から、当該情報画像を読み取る読取り手段と、
前記読取り手段による前記情報画像の読取りに応じて、前記電子文書に関連付けて登録する登録情報の入力を支援するための支援画面を表示する表示手段と
を備えたことを特徴とする情報処理装置。
【請求項８】
電子文書が印刷された媒体から画像を読み取る画像読取装置と、
前記電子文書を管理する文書管理装置と
を備え、
前記画像読取装置は、
前記媒体内の領域を特定する領域情報が印刷された当該媒体から当該領域情報を取得する取得手段と、
前記取得手段により取得された前記領域情報によって特定される領域に印刷された前記電子文書の部分に関連付けて登録する登録情報の入力を支援するための支援画面を表示する表示手段と、
前記表示手段により表示された前記支援画面から入力された前記登録情報を前記文書管理装置に送信する送信手段と
を備え、
前記文書管理装置は、
前記画像読取装置から送信された前記登録情報を受信する受信手段と、
前記受信手段により受信された前記登録情報を、前記電子文書の部分に関連付けて登録する登録手段と
を備えたことを特徴とする文書管理システム。
【請求項９】
前記取得手段は、前記媒体を識別する識別情報が更に印刷された当該媒体から当該識別情報を取得し、
前記送信手段は、前記取得手段により取得された前記識別情報を更に前記文書管理装置に送信し、
前記受信手段は、前記画像読取装置から送信された前記識別情報を更に受信し、
前記登録手段は、前記受信手段により受信された前記識別情報と、前記電子文書を前記媒体に印刷する際に生成された当該電子文書と当該識別情報との対応情報とに基づいて、当該電子文書を特定することを特徴とする請求項８記載の文書管理システム。
【請求項１０】
前記表示手段は、前記支援画面として、前記画像読取装置の操作部により前記登録情報を入力するための画面を表示することを特徴とする請求項８記載の文書管理システム。
【請求項１１】
前記画像読取装置は、
前記媒体に対する筆記を電子化した筆記情報を、当該筆記が行われた領域を特定する前記領域情報に関連付けて保持する電子筆記具から、前記取得手段により取得された当該領域情報に基づいて当該筆記情報を受信する受信手段を更に備え、
前記表示手段は、前記支援画面として、前記画像読取装置の操作部により前記筆記情報に編集処理を施すことで前記登録情報を入力するための画面を表示することを特徴とする請求項８記載の文書管理システム。
【請求項１２】
媒体に対して筆記を行うために用いられる電子筆記具と、
電子文書が印刷された前記媒体から画像を読み取る画像読取装置と
を備え、
前記電子筆記具は、
前記媒体内の領域を特定する領域情報が印刷された当該媒体から、前記筆記が行われた領域を特定する当該領域情報を取得する第１の取得手段と、
前記筆記を電子化した筆記情報を、前記第１の取得手段により取得された前記領域情報に関連付けて保持する保持手段と
を備え、
前記画像読取装置は、
前記媒体から前記領域情報を取得する第２の取得手段と、
前記第２の取得手段により取得された前記領域情報に関連付けて前記保持手段により保持されている前記筆記情報を受信する受信手段と、
前記第２の取得手段により取得された前記領域情報によって特定される領域に印刷された前記電子文書の部分に関連付けて登録する登録情報の入力を支援するための支援画面として、前記画像読取装置の操作部により前記筆記情報に編集処理を施すことで当該登録情報を入力するための画面を表示する表示手段と、
前記表示手段により表示された前記支援画面から入力された前記登録情報を前記電子文書の部分に関連付けて登録する処理を行う処理手段と
を備えたことを特徴とする情報処理システム。
【請求項１３】
前記電子文書を管理する文書管理装置を更に備え、
前記処理手段は、前記登録情報を前記文書管理装置に送信し、
前記文書管理装置は、
前記画像読取装置から送信された前記登録情報を受信する受信手段と、
前記受信手段により受信された前記登録情報を、前記電子文書の部分に関連付けて登録する登録手段と
を備えたことを特徴とする請求項１２記載の情報処理システム。
【請求項１４】
コンピュータに、
電子文書と、媒体内の領域を特定する領域情報とが印刷された当該媒体から読み取られた当該領域情報を取得する機能と、
取得された前記領域情報によって特定される領域に印刷された前記電子文書の部分に関連付けて登録する登録情報の入力を支援するための支援画面を表示する機能と、
表示された前記支援画面から入力された前記登録情報を前記電子文書の部分に関連付けて登録する処理を行う機能と
を実現させるためのプログラム。
【発明の詳細な説明】
【技術分野】
【０００１】
本発明は、情報処理装置、文書管理システム、情報処理システム、プログラムに関する。
【背景技術】
【０００２】
プリントアウト表面を手動で編集することにより、電子的に記憶された文書に変更を加える技術が知られている（例えば、特許文献１参照）。この特許文献１の技術では、まず、電子的に記憶された文書を、位置コーディングパターンを備えた表面に印刷する。次に、位置コーディングパターン読取り手段を備えたデジタルペンと表面にマーキングを付けるペンポイントとでプリントアウト表面を手動で編集する。すると、このマーキングがコンピュータに転送され、コンピュータ内で解釈され、この解釈に基づいて記憶済み文書に変更が加えられる。
【０００３】
【特許文献１】特表２００３−５２８３８８号公報
【発明の開示】
【発明が解決しようとする課題】
【０００４】
本発明の目的は、媒体に印刷された電子文書に関連付けて登録する登録情報を正確に入力できる可能性を高めることにある。
【課題を解決するための手段】
【０００５】
請求項１に記載の発明は、電子文書と、媒体内の領域を特定する領域情報とが印刷された当該媒体から読み取られた当該領域情報を取得する取得手段と、前記取得手段により取得された前記領域情報によって特定される領域に印刷された前記電子文書の部分に関連付けて登録する登録情報の入力を支援するための支援画面を表示する表示手段と、前記表示手段により表示された前記支援画面から入力された前記登録情報を前記電子文書の部分に関連付けて登録する処理を行う処理手段とを備えたことを特徴とする情報処理装置である。
請求項２に記載の発明は、前記表示手段は、前記支援画面として、前記情報処理装置の操作部により前記登録情報を入力するための画面を表示することを特徴とする請求項１記載の情報処理装置である。
請求項３に記載の発明は、前記表示手段は、前記登録情報を入力する際の形式を示す入力形式情報を含む前記支援画面を表示することを特徴とする請求項２記載の情報処理装置である。
請求項４に記載の発明は、前記媒体に対する筆記を電子化した筆記情報を、当該筆記が行われた領域を特定する前記領域情報に関連付けて保持する電子筆記具から、前記取得手段により取得された当該領域情報に基づいて当該筆記情報を受信する受信手段を更に備え、前記表示手段は、前記支援画面として、前記情報処理装置の操作部により前記筆記情報に編集処理を施すことで前記登録情報を入力するための画面を表示することを特徴とする請求項１記載の情報処理装置である。
請求項５に記載の発明は、前記編集処理は、特定の文字種の前記筆記情報の文字認識結果を他の文字種に変換する処理であることを特徴とする請求項４記載の情報処理装置である。
請求項６に記載の発明は、前記編集処理は、前記筆記情報を分割する処理であることを特徴とする請求項４記載の情報処理装置である。
請求項７に記載の発明は、電子文書の文書画像と、電子筆記具による筆記を電子化するための情報を少なくとも表す情報画像とが印刷された媒体から、当該情報画像を読み取る読取り手段と、前記読取り手段による前記情報画像の読取りに応じて、前記電子文書に関連付けて登録する登録情報の入力を支援するための支援画面を表示する表示手段とを備えたことを特徴とする情報処理装置である。
請求項８に記載の発明は、電子文書が印刷された媒体から画像を読み取る画像読取装置と、前記電子文書を管理する文書管理装置とを備え、前記画像読取装置は、前記媒体内の領域を特定する領域情報が印刷された当該媒体から当該領域情報を取得する取得手段と、前記取得手段により取得された前記領域情報によって特定される領域に印刷された前記電子文書の部分に関連付けて登録する登録情報の入力を支援するための支援画面を表示する表示手段と、前記表示手段により表示された前記支援画面から入力された前記登録情報を前記文書管理装置に送信する送信手段とを備え、前記文書管理装置は、前記画像読取装置から送信された前記登録情報を受信する受信手段と、前記受信手段により受信された前記登録情報を、前記電子文書の部分に関連付けて登録する登録手段とを備えたことを特徴とする文書管理システムである。
請求項９に記載の発明は、前記取得手段は、前記媒体を識別する識別情報が更に印刷された当該媒体から当該識別情報を取得し、前記送信手段は、前記取得手段により取得された前記識別情報を更に前記文書管理装置に送信し、前記受信手段は、前記画像読取装置から送信された前記識別情報を更に受信し、前記登録手段は、前記受信手段により受信された前記識別情報と、前記電子文書を前記媒体に印刷する際に生成された当該電子文書と当該識別情報との対応情報とに基づいて、当該電子文書を特定することを特徴とする請求項８記載の文書管理システムである。
請求項１０に記載の発明は、前記表示手段は、前記支援画面として、前記画像読取装置の操作部により前記登録情報を入力するための画面を表示することを特徴とする請求項８記載の文書管理システムである。
請求項１１に記載の発明は、前記画像読取装置は、前記媒体に対する筆記を電子化した筆記情報を、当該筆記が行われた領域を特定する前記領域情報に関連付けて保持する電子筆記具から、前記取得手段により取得された当該領域情報に基づいて当該筆記情報を受信する受信手段を更に備え、前記表示手段は、前記支援画面として、前記画像読取装置の操作部により前記筆記情報に編集処理を施すことで前記登録情報を入力するための画面を表示することを特徴とする請求項８記載の文書管理システムである。
請求項１２に記載の発明は、媒体に対して筆記を行うために用いられる電子筆記具と、電子文書が印刷された前記媒体から画像を読み取る画像読取装置とを備え、前記電子筆記具は、前記媒体内の領域を特定する領域情報が印刷された当該媒体から、前記筆記が行われた領域を特定する当該領域情報を取得する第１の取得手段と、前記筆記を電子化した筆記情報を、前記第１の取得手段により取得された前記領域情報に関連付けて保持する保持手段とを備え、前記画像読取装置は、前記媒体から前記領域情報を取得する第２の取得手段と、前記第２の取得手段により取得された前記領域情報に関連付けて前記保持手段により保持されている前記筆記情報を受信する受信手段と、前記第２の取得手段により取得された前記領域情報によって特定される領域に印刷された前記電子文書の部分に関連付けて登録する登録情報の入力を支援するための支援画面として、前記画像読取装置の操作部により前記筆記情報に編集処理を施すことで当該登録情報を入力するための画面を表示する表示手段と、前記表示手段により表示された前記支援画面から入力された前記登録情報を前記電子文書の部分に関連付けて登録する処理を行う処理手段とを備えたことを特徴とする情報処理システムである。
請求項１３に記載の発明は、前記電子文書を管理する文書管理装置を更に備え、前記処理手段は、前記登録情報を前記文書管理装置に送信し、前記文書管理装置は、前記画像読取装置から送信された前記登録情報を受信する受信手段と、前記受信手段により受信された前記登録情報を、前記電子文書の部分に関連付けて登録する登録手段とを備えたことを特徴とする請求項１２記載の情報処理システムである。
請求項１４に記載の発明は、コンピュータに、電子文書と、媒体内の領域を特定する領域情報とが印刷された当該媒体から読み取られた当該領域情報を取得する機能と、取得された前記領域情報によって特定される領域に印刷された前記電子文書の部分に関連付けて登録する登録情報の入力を支援するための支援画面を表示する機能と、表示された前記支援画面から入力された前記登録情報を前記電子文書の部分に関連付けて登録する処理を行う機能とを実現させるためのプログラムである。
【発明の効果】
【０００６】
請求項１の発明は、本構成を有していない場合に比較して、媒体上のある領域に印刷された電子文書の部分に関連付けて登録する登録情報を正確に入力できる可能性が高まるという効果を有する。
請求項２の発明は、本構成を有していない場合に比較して、例えば手書きよりも操作部を用いた方が間違いが少ない登録情報を正確に入力できる可能性が高まるという効果を有する。
請求項３の発明は、操作部を用いて登録情報を入力する場合に入力形式を知ることができるという効果を有する。
請求項４の発明は、本構成を有していない場合に比較して、例えば手書きだけよりも操作部を用いて手書きを編集した方が間違いが少ない登録情報を正確に入力できる可能性が高まるという効果を有する。
請求項５の発明は、本構成を有していない場合に比較して、例えばある文字種で手書きすると間違い易い登録情報を正確に入力できる可能性が高まるという効果を有する。
請求項６の発明は、例えば幾つかの手書きの中から登録情報を選択することができるという効果を有する。
請求項７の発明は、本構成を有していない場合に比較して、媒体に印刷された電子文書に関連付けて登録する登録情報を正確に入力できる可能性が高まるという効果を有する。
請求項８の発明は、本構成を有していない場合に比較して、媒体上のある領域に印刷された電子文書の部分に関連付けて登録する登録情報を正確に入力できる可能性が高まるという効果を有する。
請求項９の発明は、本構成を有していない場合に比較して、登録情報を関連付ける対象の電子文書を確実に特定することができるという効果を有する。
請求項１０の発明は、本構成を有していない場合に比較して、例えば手書きよりも操作部を用いた方が間違いが少ない登録情報を正確に入力できる可能性が高まるという効果を有する。
請求項１１の発明は、本構成を有していない場合に比較して、例えば手書きだけよりも操作部を用いて手書きを編集した方が間違いが少ない登録情報を正確に入力できる可能性が高まるという効果を有する。
請求項１２の発明は、本構成を有していない場合に比較して、例えば手書きだけよりも操作部を用いて手書きを編集した方が間違いが少ない登録情報を正確に入力できる可能性が高まるという効果を有する。
請求項１３の発明は、電子文書に関連付ける登録情報を文書管理装置で管理することができるという効果を有する。
請求項１４の発明は、本構成を有していない場合に比較して、媒体上のある領域に印刷された電子文書の部分に関連付けて登録する登録情報を正確に入力できる可能性が高まるという効果を有する。
【発明を実施するための最良の形態】
【０００７】
以下、添付図面を参照して、本発明を実施するための最良の形態（以下、「実施の形態」という）について詳細に説明する。
まず、本実施の形態におけるコンピュータシステムの全体構成について説明する。
図１は、本実施の形態のコンピュータシステムの構成例を示したものである。
図示するように、このコンピュータシステムは、端末装置１０と、文書サーバ２０と、識別情報サーバ３０と、画像形成装置４０と、端末装置５０とがネットワーク８０に接続されることにより構成されている。また、端末装置５０には、デジタルペン６０が通信装置５５を介して接続されている。更に、ネットワーク８０には、基地局８５が接続されており、基地局８５と無線通信可能な範囲に携帯端末７０が存在している。
【０００８】
端末装置１０は、文書サーバ２０に対して電子文書の印刷を要求するコンピュータ装置である。ここで、端末装置１０としては、例えば、パーソナルコンピュータやワークステーション、その他のコンピュータを用いるとよい。
文書サーバ２０は、電子文書を記憶し管理するコンピュータ装置である。また、端末装置１０から電子文書の印刷要求があると、電子文書の画像と、識別情報及び位置情報を表す符号画像とを生成し、これらを合成した合成画像を媒体に印刷する印刷命令を画像形成装置４０に対して出力する。この場合、識別情報とは、媒体を一意に特定するための情報であり、位置情報とは、媒体上の座標位置を特定するための情報である。ここで、文書サーバ２０としては、例えば、パーソナルコンピュータやワークステーション、その他のコンピュータを用いるとよい。
【０００９】
識別情報サーバ３０は、媒体に付与する識別情報を発行するコンピュータ装置である。そして、発行した識別情報を、その識別情報が付与される媒体に印刷される電子文書と関連付けて記憶する。ここで、識別情報サーバ３０としては、例えば、パーソナルコンピュータやワークステーション、その他のコンピュータを用いるとよい。本実施の形態では、文書管理装置の一例として、識別情報サーバ３０を設けている。
画像形成装置４０は、媒体に画像を印刷し、印刷文書として出力する装置である。この画像形成装置４０は、単体のプリンタや印刷機であってもよいし、他にスキャナや通信の機能を備えた所謂複合機であってもよい。ここで、画像形成装置４０における画像形成方式としては、例えば、電子写真方式を用いるとよいが、その他の方式を用いてもよい。
【００１０】
端末装置５０は、印刷文書に対する筆記を電子化した情報（以下、「筆跡情報」という）を、印刷文書に記録された画像の元となる電子文書に反映させるために識別情報サーバ３０に送信するコンピュータ装置である。また、筆跡情報を反映する対象の電子文書を図示しないディスプレイに表示し、その上に筆跡情報を重ねて表示するようにしてもよい。ここで、端末装置５０としては、例えば、パーソナルコンピュータやワークステーション、その他のコンピュータを用いるとよい。尚、本実施の形態では、筆記の内容を電子化した筆記情報の一例として、筆跡情報を用いている。また、筆跡情報を主に手書き情報として説明するが、これに限らず、例えば、建築や機械等の図面データを出力する装置であるプロッタ等によって機械的に描画された情報であってもよい。
【００１１】
通信装置５５は、デジタルペン６０から筆跡情報を取得して端末装置５０に送信する装置である。例えば、デジタルペン６０を差し込む差込口を設け、この差込口にデジタルペン６０が差し込まれると、デジタルペン６０に記憶された筆跡情報を端末装置５０に送信するようにするとよい。ここで、端末装置５０との間の通信の方式としては、ＵＳＢ（Universal Serial Bus）、Ｂｌｕｅｔｏｏｔｈ（登録商標）、赤外線通信機能等、種々の方式が考えられる。また、図では、通信装置５５をデジタルペン６０と別体のものとして示しているが、必ずしも別体である必要はなく、一体に構成してもよい。
デジタルペン６０は、電子筆記具の一例であり、印刷文書上に文字又は図形を筆記するために用いられるペンデバイスである。また、媒体に印刷された符号画像を読み取る撮像素子を備える。そして、撮像素子で読み取った符号画像から位置情報を検出し、筆記した文字又は図形をイメージデータ化した筆跡情報をこの位置情報に基づいて生成し記憶する。
【００１２】
携帯端末７０は、情報処理装置、画像読取装置の一例であり、印刷文書上の符号画像を読み取り、この符号画像から取り出した識別情報及び位置情報を用いた処理を行う。ここで、携帯端末７０としては、例えば携帯電話機を用いるとよい。
基地局８５は、携帯端末７０とネットワーク８０との中継点となる装置である。携帯端末７０が送信したデータを中継して識別情報サーバ３０等に送信したり、識別情報サーバ３０等が送信したデータを中継して携帯端末７０に送信したりする。
ネットワーク８０は、各装置間を双方向通信可能に接続する通信回線である。例えば、ＬＡＮ（Local Area Network）やインターネットによって実現するとよい。
【００１３】
尚、本明細書では、媒体に記録する画像の元となる電子データを「電子文書」と表記するが、これは、テキストを含む「文書」を電子化したデータのみを意味するものではない。例えば、絵、写真、図形等の画像データ（ラスタデータかベクターデータかによらない）、データベース管理ソフトウェアや表計算ソフトウェアで記録されるデータ、その他の印刷可能な電子データも含めて「電子文書」としている。
また、本明細書において、「媒体」は、画像を印刷可能な媒体であれば、その材質は問わない。代表例は紙であるが、ＯＨＰシートや金属板等であっても構わない。
更に、本明細書では、電子文書、その要素、媒体、その領域、デジタルペン６０について、それぞれを一意に識別するための識別情報を用いて処理を行うが、単に「識別情報」というときは、媒体の識別情報と領域の識別情報を合わせたものを意味するものとする。尚、媒体の識別情報の一例として、本実施の形態では、媒体へのプリントを行う画像形成装置４０の機械番号と画像形成装置４０におけるプリントカウントの値とを結合したものを用いる。
【００１４】
まず、このコンピュータシステムの画像形成時の動作について説明する。
図２は、このときの文書サーバ２０及び識別情報サーバ３０の動作を示したシーケンス図である。
文書サーバ２０は、まず、電子文書の印刷要求を端末装置１０から受信する（ステップ２９１）。このうち、電子文書の印刷要求には、電子文書を一意に識別するための識別情報（以下、「文書ＩＤ」という）と印刷設定とが含まれる。ここで、文書ＩＤとしては、例えば、ＵＲＬ（Uniform Resource Locator）を用いるとよいが、電子文書を一意に特定することができるものであれば他の情報を用いてもよい。また、印刷設定は、ページ、部数、用紙サイズ、Ｎアップ（電子文書のＮページを媒体の１ページに割り付ける印刷）、余白等の設定を含む。そして、文書サーバ２０は、文書ＩＤと印刷設定とを識別情報サーバ３０に送信することで、識別情報の発行を要求する（ステップ２９２）。
【００１５】
これにより、識別情報サーバ３０は、文書ＩＤと印刷設定とを受信する（ステップ３９１）。そして、媒体ＩＤを記憶したデータベースから未使用の媒体ＩＤを取り出す（ステップ３９２）。ここで、取り出す媒体ＩＤの数は、印刷設定に応じて決められる。つまり、基本的には、印刷するページ数に印刷部数を乗じて得られる数の媒体ＩＤが取り出される。但し、設定情報中に、Ｎアップの指定等がある場合は、それも考慮される。例えば、１０ページの電子文書を２アップで５部印刷する場合は、２５（＝１０÷２×５）個の媒体ＩＤが取り出される。
また、識別情報サーバ３０は、電子文書の部分の一例としての要素ごとに、その要素が印刷される媒体上の領域を一意に識別するための識別情報（以下、「領域ＩＤ」という）を取得する（ステップ３９３）。ここで、電子文書の要素は、一定の意味を持つ文字、図形等の集合であり、要素ＩＤによって識別される。また、領域ＩＤは、電子文書の要素の属性に応じて予め決まっている。従って、電子文書を解析することで要素の属性を判定し、その判定結果に基づいて要素ごとの領域ＩＤを取得することになる。
次に、識別情報サーバ３０は、媒体ＩＤと領域ＩＤとを結合して識別情報を生成し（ステップ３９４）、この識別情報と文書ＩＤと要素ＩＤと印刷設定とを関連付けて記憶する（ステップ３９５）。そして、ステップ３９４で生成された識別情報を、文書サーバ２０に対して送信する（ステップ３９６）。
【００１６】
これにより、文書サーバ２０は、識別情報を受信する（ステップ２９３）。そして、識別情報と位置情報とを表す符号画像を生成する（ステップ２９４）。この符号画像の生成は、具体的には、次のような処理により行われる。
即ち、まず、ステップ２９３で取得した識別情報を符号化することで識別符号を生成する。尚、識別情報の符号化の詳細については後述する。また、印刷設定を受け取り、印刷設定に応じた範囲の位置情報を符号化することで位置符号を生成する。尚、位置情報の符号化の詳細についても後述する。その後、識別符号と位置符号とを所定のレイアウトに従って配置し、これをパターン画像を用いて画像化することで符号画像を生成する。
【００１７】
また、文書サーバ２０は、電子文書の文書画像を生成する（ステップ２９５）。その際、ステップ２９１で取得した文書ＩＤに基づいて対象となる電子文書を図示しない記憶手段から読み出す。また、ステップ２９１で取得した印刷設定に基づいて文書画像を生成する。
そして、ステップ２９４で生成された符号画像と、ステップ２９５で生成された文書画像とを合成し、合成画像を生成する（ステップ２９６）。
その後、合成画像の印刷命令を画像形成装置４０に送信する（ステップ２９７）。ここで、合成画像の印刷命令は、例えば、文書画像の印刷命令の列からなるＰＤＬ（Page Description Language）ファイルに対し、符号画像として印刷する内容をＰＤＬコマンドとして設定したＰＤＬの形式で送信される。
【００１８】
これにより、画像形成装置４０は、文書画像を例えばＣ（シアン）、Ｍ（マゼンタ）、Ｙ（イエロー）のトナーを用いて媒体に印刷する。また、符号画像を例えばＫ（カーボンを含む黒）のトナー又は特殊トナーを用いて媒体に印刷する。
ここで、特殊トナーとしては、可視光領域（４００ｎｍ〜７００ｎｍ）における最大吸収率が７％以下であり、近赤外領域（８００ｎｍ〜１０００ｎｍ）における吸収率が３０％以上の不可視トナーが例示される。ここで、「可視」及び「不可視」は、目視により認識できるかどうかとは関係しない。印刷文書における画像が可視光領域における特定の波長の吸収に起因する発色性の有無により認識できるかどうかで「可視」と「不可視」とを区別している。また、可視光領域における特定の波長の吸収に起因する発色性が若干あるが人間の目で認識し難いものも、「不可視」に含める。
【００１９】
尚、ここでは、電子文書の画像に符号画像を合成して印刷することとしたが、白紙（ノートや付箋等）に符号画像を印刷する構成としてもよい。その場合は、ステップ２９１で受信する印刷要求に文書ＩＤを含めないようにし、ステップ３９５で識別情報と文書ＩＤ及び印刷設定との関連付けを行わないようにし、ステップ２９５における文書画像の生成は実行しないようにすればよい。
【００２０】
次に、本実施の形態で生成される符号画像について説明する。
図３は、符号画像を構成する画像等の一例を示した図である。
まず、符号画像を構成する単位パターンについて説明する。
図３（ａ）は、単位パターンの一例を示したものである。
単位パターンとは、情報埋め込みの最小単位である。図では、黒塗りの領域と斜線の領域をドット配置可能な領域とし、その間にある白色の領域をドット配置不可能な領域としている。そして、ドット配置可能な領域のうち、黒塗りの領域にドットが配置され、斜線の領域にはドットが配置されていないことを示している。即ち、図は、ドットを配置可能な９箇所の中から選択した２箇所にドットを配置することで単位パターンを構成した例を示したものである。ここで、９箇所の中から２箇所を選択する組み合わせは３６（＝９Ｃ２）通りなので、単位パターンは、３６種類存在する。このうち、４種類の単位パターンは、同期パターンとして使用される。同期パターンとは、画像の回転を検出したり、識別符号及び位置符号の相対的な位置を特定したりするためのパターンである。特に、画像の回転を検出する必要があることから、４種類の同期パターンとしては、そのうちの１つの同期パターンを９０度回転するとそのうちの別の同期パターンになるようなものが選ばれる。また、この４種類の単位パターンを除く３２種類の単位パターンは、識別符号及び位置符号を表現する情報パターンとして使用され、５ビットの情報が表現される。
【００２１】
ところで、図３（ａ）に示したドットは、あくまで情報表現のためのドットであり、画像を構成する最小の点を意味するドットとは必ずしも一致しない。本実施の形態において、情報表現のためのドット（図３（ａ）の最小の四角）は、６００ｄｐｉにおける２ドット×２ドットの大きさを有している。６００ｄｐｉにおける１ドットの大きさは０．０４２３ｍｍなので、情報表現のためのドット（図３（ａ）の最小の四角）の一辺は、８４．６μｍ（＝０．０４２３ｍｍ×２）である。情報表現のためのドットは、大きくなればなるほど目に付きやすくなるため、できるだけ小さいほうが好ましい。ところが、あまり小さくすると、プリンタで印刷できなくなってしまう。そこで、情報表現のためのドットの大きさとして、５０μｍより大きく１００μｍより小さい上記の値を採用している。但し、上記の値８４．６μｍは、あくまで計算上の数値であり、実際に印刷されたトナー像では１００μｍ程度になる。尚、本明細書で「ドット」というときは、特に明示しない限り、画像を構成する最小の点を意味するドットではなく、情報表現のためのドットを指すものとする。
【００２２】
次に、このような単位パターンから構成される符号ブロックについて説明する。
図３（ｂ）に、符号ブロックのレイアウトの一例を示す。尚、ここでは、画像ではなく、パターン画像によって置き換えられる直前の符号配列で示している。即ち、図３（ｂ）の最小の四角（以下、「単位ブロック」という）に、図３（ａ）のような単位パターン（３６通りの単位パターンのいずれか）が配置され、その画像が媒体に形成されることになる。
図３（ｂ）のレイアウトでは、符号ブロックの左上の１つの単位ブロックに、同期符号が配置されている。また、同期符号が配置された単位ブロックの右側の４つの単位ブロックにＸ位置符号が配置され、同期符号が配置された単位ブロックの下側の４つの単位ブロックにＹ位置符号が配置されている。更に、これらの位置符号が配置された単位ブロックに囲まれた１６（＝４×４）個の単位ブロックに識別符号が配置されている。
【００２３】
ここで、識別情報の符号化について述べる。
識別情報を符号化する場合、識別情報を構成するビット列は、ＲＳ符号化を行うために複数のブロックに分割される。符号化には、いくつかの方法があるが、本実施の形態では、ＲＳ符号化が適している。ＲＳ符号は多値の符号法であり、この場合、単位ブロックで表現される値がＲＳ符号の多値に対応するからである。例えば、１つの単位ブロックで５ビットの情報を表現する場合、６０ビットの識別情報は、ブロック長が５ビットの１２個のブロックに分割される。そして、２ブロックの誤りを訂正可能なＲＳ符号を採用したとすると、符号長は１６ブロックとなり、図３（ｂ）の符号ブロックにおける識別符号が配置される単位ブロックに収まることになる。尚、符号化方式はＲＳ符号に限定するものでなく、その他の符号化方式、例えば、ＢＣＨ符号等を使用してもよい。
【００２４】
次に、位置情報の符号化について述べる。
位置情報の符号化には、擬似乱数系列の一種であるＭ系列符号が使用される。ここで、Ｍ系列とは、ある長さのシフトレジスタとフィードバックによって生成される符号系列のうち、その周期が最長になる系列をいう。Ｋをシフトレジスタの段数とすると、Ｍ系列の系列長は２Ｋ−１となる。このＭ系列から取り出した任意の連続したＫビットは、同じＭ系列中の他の位置に現れない性質を持つ。そこで、この性質を利用して位置情報を符号化する。
ところで、本実施の形態では、符号化すべき位置情報の長さから、必要なＭ系列の次数を求め、Ｍ系列を生成している。しかしながら、符号化する位置情報の長さが予め分かっている場合は、Ｍ系列を毎回生成する必要はない。即ち、固定のＭ系列を予め生成しておき、それをメモリ等に格納しておけばよい。
例えば、系列長８１９１のＭ系列（Ｋ＝１３）を使用したとする。この場合、位置符号も５ビット単位で埋め込むため、系列長８１９１のＭ系列から５ビットずつ取り出してブロック化する。
【００２５】
尚、本明細書では、説明を簡単にするために、識別情報と位置情報とは明確に区別して用いている。しかしながら、広範な位置情報を用意しておき、媒体ごとに異なる範囲から位置情報を切り出して埋め込み、位置情報の違いによって媒体を識別するという手法もある。そこで、このような手法においては、媒体を識別する機能が位置情報に備わっているものと見て、位置情報を識別情報としても考えるものとする。
【００２６】
ところで、このような符号画像は、例えば、通信販売等で商品を注文するときに用いる入力フォームに印刷することが考えられる。この場合、符号画像が印刷された紙文書（以下、「符号画像付き紙文書」という）の記入欄にデジタルペン６０で手書きを行うと、その手書きの筆跡を電子化した筆跡情報が、通信販売等のサーバにおいて、その記入欄に対応する項目への入力として取り扱われる。
しかしながら、このような入力を行う場合、入力する情報の種類によっては、手書きよりもキーボードの方が間違いなく入力できることがある。例えば、複雑な漢字等の場合、手書きでは間違える可能性があり、間違って入力した情報をサーバ側で文字認識して正しい文字に訂正するのは困難である。
【００２７】
そこで、本実施の形態では、第一に、媒体に埋め込んだ情報から携帯端末７０が入力用ＵＩ（User Interface）画面を生成することで、携帯端末７０で入力操作を行えるようにする。また、第二に、デジタルペン６０と携帯端末７０との連携により、デジタルペン６０による手書き内容に対する携帯端末７０での追加編集を可能とすることで、情報を確実に入力できるようにする。
【００２８】
以下、前者を第１の実施の形態、後者を第２の実施の形態として詳細に説明する。
［第１の実施の形態］
図４に、第１の実施の形態の概略動作について示す。
まず、ユーザは、（ａ）に示すように、符号画像付き紙文書４００のある領域上に携帯端末７０を配置する。ここでは、符号画像付き紙文書４００に設けられた領域のうち、郵便番号を記入すべき領域の上に携帯端末７０を配置したとする。
この状態で携帯端末７０を用いて符号画像付き紙文書４００を撮影すると、携帯端末７０は、その下の領域に符号画像として埋め込まれている情報に基づいて、その領域が郵便番号を記入すべき領域であることを認識する。そして、（ｂ）に示すように、操作キーを用いて郵便番号を入力するための入力用ＵＩ画面を生成し、ディスプレイに表示する。尚、入力用ＵＩ画面には、郵便番号を入力すべき領域であるという意味付けを示す情報（意味付け情報）や、郵便番号の入力形式を示す情報（入力形式情報）を含めてもよい。
【００２９】
このように、符号画像の読取り及び入力用ＵＩ画面の表示は、携帯端末７０によって実現される。
そこで、まず、携帯端末７０の機構について説明する。
図５は、携帯端末７０の構成例を示した図である。
図示するように、携帯端末７０は、端末全体の動作を制御する制御回路７１を備える。また、制御回路７１は、読み取った符号画像を処理する画像処理部７１ａと、そこでの処理結果から識別情報及び位置情報を抽出するデータ処理部７１ｂとを含む。
また、制御回路７１には、情報を表示するためのＬＣＤ（Liquid Crystal Display）７２ａと、情報を入力するための操作キー７２ｂと、媒体上に赤外光を照射する赤外ＬＥＤ７３と、反射光を検知することによって符号画像を読み取る読取り手段の一例としての赤外ＣＭＯＳ７４とが接続されている。また、識別情報及び位置情報を記憶するための情報メモリ７５と、外部装置と無線通信を行うためのアンテナ７６ａ及び通信回路７６ｂと、端末を駆動するためのバッテリ７７と、端末の識別情報（端末ＩＤ）を記憶する端末ＩＤメモリ７８も接続されている。更に、音声を出力するためのスピーカ７９ａと、音声を入力するためのマイクロフォン７９ｂも接続されている。
【００３０】
次に、このうち制御回路７１において実現される機能構成について更に詳細に説明する。
図６は、制御回路７１の機能構成例を示したブロック図である。尚、図では、制御回路７１内の画像処理部７１ａとデータ処理部７１ｂとに分けて、機能構成例を示している。
図示するように、画像処理部７１ａは、画像取得部７１１と、ドット配列生成部７１２とを備える。また、データ処理部７１ｂは、符号配列生成部７１３と、識別情報取得部７１４と、受信情報取得部７１５と、ＵＩ情報記憶部７１６と、ＵＩ生成部７１７と、操作受付部７１８と、出力部７１９とを備える。
【００３１】
画像取得部７１１は、赤外ＣＭＯＳ７４が印刷文書から読み取った符号画像を取得する。また、必要に応じて、符号画像に含まれるノイズを除去する。
ドット配列生成部７１２は、符号画像におけるドットの位置を参照して、ドット配列を生成する。即ち、２次元の配列上で、例えば、ドットがある位置に「１」を、ドットがない位置に「０」を記憶することにより、画像として検出したドットをデジタルデータに置き換える。そして、この２次元の配列をドット配列として出力する。
【００３２】
符号配列生成部７１３は、ドット配列上で、符号ブロック内の単位パターンに対応するブロックを検出する。具体的には、単位パターンが配置されるブロックと同じ形状及び大きさの枠をドット配列上で動かし、枠内のドット数が均等になる位置で枠を固定する。例えば、図３（ａ）の単位パターンを用いる場合であれば、３ドット×３ドットに対応する大きさの枠を動かし、枠内に含まれるドット数が２となる位置で枠を固定する。そして、その枠で区切られた各ブロック内のドット位置から定まる符号値を格納した符号配列を生成する。また、この符号配列が生成されると、予め定められた同期符号の符号値を検索することによって、同期符号の位置が特定される。
【００３３】
識別情報取得部７１４は、符号配列から同期符号の位置を基準にして識別符号を検出する。そして、画像生成時にＲＳ符号化処理で用いたパラメータを用いて識別符号を復号し、識別情報を取得する。また、識別情報から媒体ＩＤ及び領域ＩＤを取得する。本実施の形態では、領域を特定する領域情報の一例として、領域ＩＤを用い、領域情報を取得する取得手段の一例として、識別情報取得部７１４を設けている。
受信情報取得部７１５は、通信回路７６ｂが外部から受信した情報登録の結果を取得する。
ＵＩ情報記憶部７１６は、ＵＩ生成部７１７が入力用ＵＩ画面を生成するために用いる情報（以下、「ＵＩ情報」という）を記憶する。ここで、ＵＩ情報は、例えば、領域の識別情報である領域ＩＤと、領域の意味付けを示す意味付け情報と、入力する情報の形式を示す入力形式情報とを対応付けたものである。
ＵＩ生成部７１７は、識別情報取得部７１４が取得した識別情報から領域ＩＤを取り出し、ＵＩ情報記憶部７１６に記憶されたＵＩ情報を参照して、領域ＩＤに対応する入力用ＵＩ画面を生成する。本実施の形態では、登録情報の入力を支援するための支援画面の一例として、入力用ＵＩ画面を用い、支援画面を表示する表示手段の一例として、ＵＩ生成部７１７を設けている。
【００３４】
操作受付部７１８は、ＵＩ生成部７１７が生成したＵＩ画面に対する操作キー７２ｂ上の操作を受け付ける。
出力部７１９は、ＵＩ生成部７１７が生成したＵＩ画面をＬＣＤ７２ａに出力する。また、操作受付部７１８が受け付けた情報を外部に出力する。その際、通信回路７６ｂが基地局８５と通信可能な状態にあれば、通信回路７６ｂに情報を出力し、通信回路７６ｂが基地局８５を介して識別情報サーバ３０に情報を送信する。また、通信回路７６ｂが基地局８５と通信可能な状態になければ、情報メモリ７５に情報を出力し、情報メモリ７５が情報を記憶する。そして、通信回路７６ｂが、基地局８５と通信可能な状態になった時点で、情報メモリ７５から情報を取り出し、基地局８５を介して識別情報サーバ３０に情報を送信する。本実施の形態では、登録情報を登録する処理を行う処理手段の一例として、また、登録情報を送信する送信手段の一例として、出力部７１９を設けている。
【００３５】
また、携帯端末７０から送信された情報を管理する識別情報サーバ３０の機能構成について説明する。
図７は、識別情報サーバ３０の機能構成例を示したブロック図である。
図示するように、識別情報サーバ３０は、情報記憶部３１と、受信部３２と、情報登録部３３と、送信部３４とを備える。
【００３６】
情報記憶部３１は、電子文書の識別情報である文書ＩＤと、電子文書の要素の識別情報である要素ＩＤと、媒体の識別情報である媒体ＩＤと、媒体内の領域の識別情報である領域ＩＤとの対応情報を記憶する。これらの識別情報の対応情報は、図２のステップ３９５で生成される。また、媒体に対するデジタルペン６０による筆跡情報や携帯端末７０による入力情報等（以下、これらを「記入情報」と総称する）もこれらに対応付けて記憶できるようになっている。本実施の形態では、電子文書に関連付けて登録する登録情報の一例として、記入情報を用いている。
受信部３２は、電子文書が印刷された媒体に対する記入情報をデジタルペン６０や携帯端末７０から受信する。この場合、デジタルペン６０からは、媒体に対する手書きをイメージデータ化した筆跡情報を受信し、携帯端末７０からは、操作キー７２ｂを用いて入力された入力情報等を受信する。本実施の形態では、登録情報を受信する受信手段の一例として、受信部３２を設けている。
情報登録部３３は、受信部３２が受信した記入情報を、情報記憶部３１に記憶された文書ＩＤ、要素ＩＤ、媒体ＩＤ、領域ＩＤと関連付けて登録する。本実施の形態では、登録情報を登録する登録手段の一例として、情報登録部３３を設けている。
送信部３４は、情報登録部３３による情報登録の結果をデジタルペン６０や携帯端末７０に送信する。
【００３７】
次に、携帯端末７０が入力用ＵＩ画面を表示し、入力用ＵＩ画面上で入力された情報を識別情報サーバ３０に登録する際の動作について説明する。
図８は、このときの携帯端末７０及び識別情報サーバ３０の動作を示したシーケンス図である。
まず、携帯端末７０は、印刷文書上に配置され、ユーザの操作があると、印刷文書から識別情報を取得する（ステップ７０１）。具体的には、赤外ＬＥＤ７３が媒体に対して赤外光を照射し、赤外ＣＭＯＳ７４がその反射光を受光することにより、符号画像を読み取る。そして、画像取得部７１１がこの読み取った符号画像を取得する。そして、符号画像にノイズが含まれていれば、これを除去する。次に、ドット配列生成部７１２が、符号画像に含まれるドット位置をデジタルデータ化し、ドット配列を生成する。そして、符号配列生成部７１３が、ドット配列からブロックを検出し、ブロックごとの符号値を格納した符号配列を生成する。そして、符号配列において、同期符号の位置を特定する。その後、識別情報取得部７１４が、同期符号の位置に基づいて識別符号を検出し、これを復号して識別情報を取得する。
【００３８】
次に、ＵＩ生成部７１７が、識別情報から媒体ＩＤと領域ＩＤとを取り出す（ステップ７０２）。このとき、ＵＩ生成部７１７は、媒体ＩＤと領域ＩＤとを出力部７１９に伝えておく。また、操作受付部７１８に対して、ＵＩ生成部７１７が生成する入力用ＵＩ画面上での操作を待機するように指示しておく。そして、ＵＩ生成部７１７は、領域ＩＤをキーとしてＵＩ情報記憶部７１６を検索し、意味付け情報と入力形式情報とを取り出す（ステップ７０３）。その後、意味付け情報と入力形式情報とを用いて、入力用ＵＩ画面を生成する（ステップ７０４）。
【００３９】
携帯端末７０のＬＣＤ７２ａに入力用ＵＩ画面が表示されると、ユーザが操作キー７２ｂを用いて入力用ＵＩ画面から情報を入力する。これにより、操作受付部７１８が、入力情報を受け付け、出力部７１９に伝える（ステップ７０５）。すると、出力部７１９が、ＵＩ生成部７１７から伝えられた媒体ＩＤ及び領域ＩＤと、操作受付部７１８から伝えられた入力情報とを、識別情報サーバ３０に送信する（ステップ７０６）。
【００４０】
このようにして携帯端末７０から入力情報が送信されると、識別情報サーバ３０では、まず、受信部３２が、その入力情報を受信し、情報登録部３３に受け渡す（ステップ３０１）。
次に、情報登録部３３が、受信部３２から渡された媒体ＩＤ、領域ＩＤ、入力情報との対応を情報記憶部３１に記憶する（ステップ３０２）。
そして、送信部３４が、情報登録部３３による情報登録の結果を携帯端末７０に返信する（ステップ３０３）。
【００４１】
これにより、携帯端末７０では、受信情報取得部７１５が、情報登録の結果を受信する（ステップ７０７）。すると、その旨がＵＩ生成部７１７に伝えられ、ＵＩ生成部７１７により情報登録の結果を表示する画面が生成され、ＬＣＤ７２ａに表示される。
【００４２】
尚、本実施の形態では、領域に関する情報として領域ＩＤのみを媒体に埋め込み、携帯端末７０が領域ＩＤをキーに意味付け情報及び入力形式情報を取得するようにした。しかしながら、意味付け情報及び入力形式情報を直接媒体に埋め込み、それをそのまま用いて、入力用ＵＩ画面を生成するようにしてもよい。
【００４３】
［第２の実施の形態］
図９に、第２の実施の形態の概略動作について示す。
まず、ユーザは、（ａ）に示すように、符号画像付き紙文書４００のある領域にデジタルペン６０で筆記する。そして、デジタルペン６０に筆記内容を保持しておく。ここでは、片仮名で筆記した文字の筆跡情報がデジタルペン６０に保持されるものとする。
次に、ユーザは、（ｂ）に示すように、符号画像付き紙文書４００の同じ領域上に携帯端末７０を配置する。この状態で携帯端末７０を用いて符号画像付き紙文書４００を撮影すると、携帯端末７０は、その下の領域に符号画像として埋め込まれている情報に基づいて領域を識別し、デジタルペン６０に保持されている筆跡情報の中から、その領域に対する筆跡情報を取得する。そして、その筆跡情報を文字認識し、認識された片仮名に対応する変換候補の中からサーバに登録する情報を選択するための選択用ＵＩ画面を生成し、ディスプレイに表示する。その後、選択用ＵＩ画面上でのユーザ操作により、片仮名は漢字等に変換され、サーバに送信される。即ち、例えば、漢字が分からない場合に、デジタルペン６０で片仮名を筆記し、携帯端末７０で漢字に変換して送信するといったことを可能とするものである。
【００４４】
このように、媒体に対する筆記は、デジタルペン６０によって実現される。
そこで、まず、デジタルペン６０の機構について説明する。
図１０は、デジタルペン６０の構成例を示した図である。
図示するように、デジタルペン６０は、ペン全体の動作を制御する制御回路６１を備える。また、制御回路６１は、読み取った符号画像を処理する画像処理部６１ａと、そこでの処理結果から識別情報及び位置情報を抽出するデータ処理部６１ｂとを含む。
また、制御回路６１には、デジタルペン６０による筆記動作をペンチップ６９に加わる圧力によって検出する圧力センサ６２が接続されている。更に、媒体上に赤外光を照射する赤外ＬＥＤ６３と、反射光を検知することによって符号画像を読み取る赤外ＣＭＯＳ６４も接続されている。更にまた、識別情報及び位置情報を記憶するための保持手段の一例としての情報メモリ６５と、外部装置と通信するための通信回路６６と、ペンを駆動するためのバッテリ６７と、ペンの識別情報（ペンＩＤ）を記憶するペンＩＤメモリ６８も接続されている。
【００４５】
次に、このうち制御回路６１において実現される機能構成について更に詳細に説明する。
図１１は、制御回路６１の機能構成例を示したブロック図である。尚、図では、制御回路６１内の画像処理部６１ａとデータ処理部６１ｂとに分けて、機能構成例を示している。
図示するように、画像処理部６１ａは、画像取得部６１１と、ドット配列生成部６１２とを備える。また、データ処理部６１ｂは、符号配列生成部６１３と、識別情報取得部６１４と、位置情報取得部６１５と、筆跡情報生成部６１６と、出力部６１９とを備える。
【００４６】
画像取得部６１１は、赤外ＣＭＯＳ６４が印刷文書から読み取った符号画像を取得する。また、必要に応じて、符号画像に含まれるノイズを除去する。
ドット配列生成部６１２は、符号画像におけるドットの位置を参照して、ドット配列を生成する。即ち、２次元の配列上で、例えば、ドットがある位置に「１」を、ドットがない位置に「０」を記憶することにより、画像として検出したドットをデジタルデータに置き換える。そして、この２次元の配列をドット配列として出力する。
【００４７】
符号配列生成部６１３は、ドット配列上で、符号ブロック内の単位パターンに対応するブロックを検出する。具体的には、単位パターンが配置されるブロックと同じ形状及び大きさの枠をドット配列上で動かし、枠内のドット数が均等になる位置で枠を固定する。例えば、図３（ａ）の単位パターンを用いる場合であれば、３ドット×３ドットに対応する大きさの枠を動かし、枠内に含まれるドット数が２となる位置で枠を固定する。そして、その枠で区切られた各ブロック内のドット位置から定まる符号値を格納した符号配列を生成する。また、この符号配列が生成されると、予め定められた同期符号の符号値を検索することによって、同期符号の位置が特定される。
【００４８】
識別情報取得部６１４は、符号配列から同期符号の位置を基準にして識別符号を検出する。そして、画像生成時にＲＳ符号化処理で用いたパラメータを用いて識別符号を復号し、識別情報を取得する。ここで、識別情報は領域ＩＤを含む。即ち、本実施の形態では、領域情報を取得する第１の取得手段の一例として、識別情報取得部６１４を設けている。
位置情報取得部６１５は、符号配列から同期符号の位置を基準にして位置符号を検出する。そして、位置符号からＭ系列の部分系列を取り出し、画像生成時に使用したＭ系列におけるこの部分系列の位置を参照し、この位置を同期符号によるオフセットで補正した値を位置情報として取得する。尚、オフセットで補正するのは、位置符号の間に同期符号が配置されているためである。本実施の形態では、位置情報を取得する取得手段の一例として、位置情報取得部６１５を設けている。
【００４９】
筆跡情報生成部６１６は、位置情報取得部６１５が取得した位置情報を連結して筆跡情報を生成する。ここで、筆跡情報とは、デジタルペン６０のペン先の軌跡を電子化したデータであるが、これ以外の情報が付加されていてもよい。ペン先の軌跡以外の情報としては、例えば、筆跡情報の分割単位の識別情報や、分割単位に対する属性情報等がある。
【００５０】
出力部６１９は、識別情報取得部６１４が取得した識別情報と、筆跡情報生成部６１６が生成した筆跡情報等の情報とを外部に出力する。その際、通信回路６６が通信装置５５と通信可能な状態にあれば、通信回路６６に情報を出力し、通信回路６６が通信装置５５を介して端末装置５０に情報を送信する。また、通信回路６６が通信装置５５と通信可能な状態になければ、情報メモリ６５に情報を出力し、情報メモリ６５が情報を記憶する。そして、通信回路６６が、通信装置５５と通信可能な状態になった時点で、情報メモリ６５から情報を取り出し、通信装置５５を介して端末装置５０に情報を送信する。
【００５１】
また、符号画像の読取り及び選択用ＵＩ画面の表示は、携帯端末７０によって実現される。
そこで、次に、携帯端末７０について説明する。但し、携帯端末７０の機構については、第１の実施の形態で述べたのと同様なので省略し、ここでは、本実施の形態において制御回路７１で実現される機能構成についてのみ説明する。
図１２は、制御回路７１の機能構成例を示したブロック図である。尚、図では、制御回路７１内の画像処理部７１ａとデータ処理部７１ｂとに分けて、機能構成例を示している。
図示するように、画像処理部７１ａは、画像取得部７１１と、ドット配列生成部７１２とを備える。また、データ処理部７１ｂは、符号配列生成部７１３と、識別情報取得部７１４と、受信情報取得部７１５と、ＵＩ生成部７１７と、操作受付部７１８と、出力部７１９とを備える。
【００５２】
このうち、画像取得部７１１、ドット配列生成部７１２、符号配列生成部７１３、識別情報取得部７１４は、操作受付部７１８、出力部７１９については、第１の実施の形態で述べたのと略同様であるので説明を省略し、ここでは、受信情報取得部７１５及びＵＩ生成部７１７についてのみ説明する。
受信情報取得部７１５は、通信回路７６ｂが外部から受信した筆跡情報を取得する。本実施の形態では、筆記情報を受信する受信手段の一例として、受信情報取得部７１５を設けている。
ＵＩ生成部７１７は、受信情報取得部７１５がデジタルペン６０から受信した筆跡情報を文字認識し、その結果に対応する変換候補の中から所望の変換候補を選択させるための選択用ＵＩ画面を生成する。本実施の形態では、登録情報の入力を支援するための支援画面の一例として、選択用ＵＩ画面を用い、支援画面を表示する表示手段の一例として、ＵＩ生成部７１７を設けている。
【００５３】
更に、携帯端末７０から送信された情報は識別情報サーバ３０にて管理されるが、識別情報サーバ３０の機能構成については、第１の実施の形態と同様なので説明を省略する。
【００５４】
次に、携帯端末７０が選択用ＵＩ画面を表示し、選択用ＵＩ画面上で選択された情報を識別情報サーバ３０に登録する際の動作について説明する。
図１３は、このときのデジタルペン６０、携帯端末７０、及び識別情報サーバ３０の動作を示したシーケンス図である。
まず、デジタルペン６０は、印刷文書に筆記がなされると、印刷文書から識別情報及び位置情報を取得する（ステップ６５１）。具体的には、赤外ＬＥＤ６３が媒体に対して赤外光を照射し、赤外ＣＭＯＳ６４がその反射光を受光することにより、符号画像を読み取る。そして、画像取得部６１１がこの読み取った符号画像を取得する。そして、符号画像にノイズが含まれていれば、これを除去する。次に、ドット配列生成部６１２が、符号画像に含まれるドット位置をデジタルデータ化し、ドット配列を生成する。そして、符号配列生成部６１３が、ドット配列からブロックを検出し、ブロックごとの符号値を格納した符号配列を生成する。そして、符号配列において、同期符号の位置を特定する。その後、識別情報取得部６１４が、同期符号の位置に基づいて識別符号を検出し、これを復号して識別情報を取得する。また、位置情報取得部６１５が、同期符号の位置に基づいて位置符号を検出し、これを復号して位置情報を取得する。
【００５５】
次に、筆跡情報生成部６１６が、位置情報を連結して筆跡情報を生成し、出力部６１９に伝える（ステップ６５２）。一方で、識別情報取得部６１４は、媒体ＩＤと領域ＩＤとを出力部６１９に伝えておく。そして、出力部６１９が、識別情報取得部６１４から伝えられた媒体ＩＤ及び領域ＩＤと、筆跡情報生成部６１６から伝えられた筆跡情報とを外部に出力し、筆跡情報は、媒体ＩＤ及び領域ＩＤと関連付けて情報メモリ６５に記憶される（ステップ６５３）。
【００５６】
一方、携帯端末７０は、印刷文書上に配置され、ユーザの操作があると、印刷文書から識別情報を取得する（ステップ７５１）。具体的には、赤外ＬＥＤ７３が媒体に対して赤外光を照射し、赤外ＣＭＯＳ７４がその反射光を受光することにより、符号画像を読み取る。そして、画像取得部７１１がこの読み取った符号画像を取得する。そして、符号画像にノイズが含まれていれば、これを除去する。次に、ドット配列生成部７１２が、符号画像に含まれるドット位置をデジタルデータ化し、ドット配列を生成する。そして、符号配列生成部７１３が、ドット配列からブロックを検出し、ブロックごとの符号値を格納した符号配列を生成する。そして、符号配列において、同期符号の位置を特定する。その後、識別情報取得部７１４が、同期符号の位置に基づいて識別符号を検出し、これを復号して識別情報を取得する。
【００５７】
この識別情報は出力部７１９に伝えられ、出力部７１９が、デジタルペン６０に対して識別情報を伴う筆跡情報転送要求を送信する（ステップ７５２）。尚、携帯端末７０には、自身に筆跡情報を転送可能なデジタルペン６０の識別情報（ペンＩＤ）が予め登録されているものとする。そこで、携帯端末７０は、このペンＩＤを用いて、適切なデジタルペン６０に対して筆跡情報転送要求を送信する。
すると、デジタルペン６０では、通信回路６６が、筆跡情報転送要求を受信し（ステップ６５４）、筆跡情報を情報メモリ６５から読み出して携帯端末７０に送信する（ステップ６５５）。
これにより、携帯端末７０では、受信情報取得部７１５が、筆跡情報を受信する（ステップ７５３）そして、ＵＩ生成部７１７が、この筆跡情報を用いて、選択用ＵＩ画面を生成する（ステップ７５４）。
【００５８】
携帯端末７０のＬＣＤ７２ａに選択用ＵＩ画面が表示されると、ユーザが操作キー７２ｂを用いて選択用ＵＩ画面から情報を選択する。これにより、操作受付部７１８が、選択情報を受け付け、出力部７１９に伝える（ステップ７５５）。すると、出力部７１９が、先に識別情報取得部７１４から伝えられた媒体ＩＤ及び領域ＩＤと、操作受付部７１８から伝えられた選択情報とを、識別情報サーバ３０に送信する（ステップ７５６）。
【００５９】
このようにして携帯端末７０から選択情報が送信されると、識別情報サーバ３０では、まず、受信部３２が、その選択情報を受信し、情報登録部３３に受け渡す（ステップ３５１）。
次に、情報登録部３３が、受信部３２から渡された媒体ＩＤ、領域ＩＤ、選択情報との対応を情報記憶部３１に記憶する（ステップ３５２）。
そして、送信部３４が、情報登録部３３による情報登録の結果を携帯端末７０に返信する（ステップ３５３）。
【００６０】
これにより、携帯端末７０では、受信情報取得部７１５が、情報登録の結果を受信する（ステップ７５７）。すると、その旨がＵＩ生成部７１７に伝えられ、ＵＩ生成部７１７により情報登録の結果を表示する画面が生成され、ＬＣＤ７２ａに表示される。
【００６１】
尚、本実施の形態では、デジタルペン６０による手書きに対する携帯端末７０での編集処理の例として、デジタルペン６０で片仮名を筆記し、これを携帯端末７０で文字認識して漢字等に変換する変換処理を示した。しかしながら、この変換処理は、あくまで一例であり、他にも種々の変換処理が考えられる。
その一つとして、ある言語から別の言語への変換が考えられる。例えば、英語で記入しなければならないが、スペルが分からない場合に、デジタルペン６０で日本語の意味又は読みを筆記し、携帯端末７０で英語に変換するというものである。こういった変換処理は、一般に、特定の文字種の筆記情報の文字認識結果を他の文字種に変換する処理ということができる。
また、このような変換処理以外にも編集処理は考えられる。例えば、デジタルペン６０で複数回手書きしておいて、携帯端末７０でその中からサーバに登録すべき手書きを選択するような処理である。その場合、筆跡情報を分割する処理が必要になるので、このような処理を携帯端末７０での編集処理の１つとして考えることができる。
【００６２】
更に、上記第１及び第２の実施の形態では、識別情報の中に領域ＩＤを含めたが、識別情報の中に領域ＩＤを含めない構成も考えられる。
第一に、領域を特定するための領域情報を識別情報とは別に設け、領域情報の中に領域ＩＤを含める構成である。この場合は、図３（ｂ）において、同期符号、Ｘ位置符号、Ｙ位置符号、識別符号に加えて、領域符号が配置されることになる。
第二に、位置情報に基づいて領域を特定する構成である。その場合、例えば、携帯端末７０は、媒体上の位置情報と領域の属性との対応情報を事前に取得し、媒体から位置情報を読み取ると、その対応情報を参照して該当する領域の属性を判別するというものである。この意味で、これまで述べてきた位置情報も、領域を特定する領域情報の一例であるということができる。
【００６３】
更にまた、上記第１及び第２の実施の形態では、携帯端末７０が送信した情報を識別情報サーバ３０に登録するようにした。これは、図２に示したように、電子文書の要素とその要素が印刷された領域との対応を識別情報サーバ３０で管理しているからである。しかしながら、必ずこのような構成を採用しなければならないわけではない。例えば、電子文書の要素とその要素が印刷された領域との対応を文書サーバ２０で管理している場合であれば、携帯端末７０が送信した情報を識別情報サーバ３０が該当する文書サーバ２０に振り分け、文書サーバ２０に登録するようにしてもよい。
【００６４】
ところで、本実施の形態では、携帯端末７０が情報入力の支援のためのＵＩ画面を表示するようにした。しかしながら、必ずしも携帯端末７０でこの処理を行わなくてよい。例えば、媒体から符号画像を読み取る機構が備わっていれば、端末装置５０で同様の処理を行うようにしてもよい。
そこで、これらの処理をコンピュータ９０で行うものとして、コンピュータ９０のハードウェア構成について説明する。
【００６５】
図１４は、コンピュータ９０のハードウェア構成を示した図である。
図示するように、コンピュータ９０は、演算手段であるＣＰＵ（Central Processing Unit）９１と、記憶手段であるメインメモリ９２及び磁気ディスク装置（ＨＤＤ：Hard Disk Drive）９３とを備える。ここで、ＣＰＵ９１は、ＯＳ（Operating System）やアプリケーション等の各種ソフトウェアを実行し、上述した各機能を実現する。また、メインメモリ９２は、各種ソフトウェアやその実行に用いるデータ等を記憶する記憶領域であり、磁気ディスク装置９３は、各種ソフトウェアに対する入力データや各種ソフトウェアからの出力データ等を記憶する記憶領域である。
更に、コンピュータ９０は、外部との通信を行うための通信Ｉ/Ｆ９４と、ビデオメモリやディスプレイ等からなる表示機構９５と、キーボードやマウス等の入力デバイス９６とを備える。
【００６６】
尚、本実施の形態を実現するプログラムは、通信手段により提供することはもちろん、ＣＤ−ＲＯＭ等の記録媒体に格納して提供することも可能である。
【図面の簡単な説明】
【００６７】
【図１】本発明の実施の形態が適用されるシステム構成を示した図である。
【図２】本発明の実施の形態における印刷文書出力時の動作を示したシーケンス図である。
【図３】本発明の実施の形態で生成される符号画像の例を示した図である。
【図４】本発明の第１の実施の形態における動作の概要を示した図である。
【図５】本発明の第１及び第２の実施の形態における携帯端末の機構を示した図である。
【図６】本発明の第１の実施の形態における携帯端末の制御回路の機能機構を示したブロック図である。
【図７】本発明の第１及び第２の実施の形態における識別情報サーバの機能機構を示したブロック図である。
【図８】本発明の第１の実施の形態における符号画像読取り時の動作を示したシーケンス図である。
【図９】本発明の第２の実施の形態における動作の概要を示した図である。
【図１０】本発明の第２の実施の形態におけるデジタルペンの機構を示した図である。
【図１１】本発明の第２の実施の形態におけるデジタルペンの制御回路の機能機構を示したブロック図である。
【図１２】本発明の第２の実施の形態における携帯端末の制御回路の機能機構を示したブロック図である。
【図１３】本発明の第２の実施の形態における符号画像読取り時の動作を示したシーケンス図である。
【図１４】本発明の実施の形態を実現可能なコンピュータのハードウェア構成図である。
【符号の説明】
【００６８】
１０，５０…端末装置、２０…文書サーバ、３０…識別情報サーバ、４０…画像形成装置、６０…デジタルペン、７０…携帯端末、８０…ネットワーク
【図１】
2009277006.tif 000003
【図２】
2009277006.tif 000004
【図３】
2009277006.tif 000005
【図４】
2009277006.tif 000006
【図５】
2009277006.tif 000007
【図６】
2009277006.tif 000008
【図７】
2009277006.tif 000009
【図８】
2009277006.tif 000010
【図９】
2009277006.tif 000011
【図１０】
2009277006.tif 000012
【図１１】
2009277006.tif 000013
【図１２】
2009277006.tif 000014
【図１３】
2009277006.tif 000015
【図１４】
2009277006.tif 000016